(57)【要約】【課題】利用者による不在転送設定の設定操作および解除操作を必要とすることなく内線携帯電話端末に関する着信転送制御を行う。【解決手段】電話制御装置１により、携帯電話端末２からの定期的な端末登録に応じて当該携帯電話端末２の端末登録有無を管理し、携帯電話端末２への着信の際、当該携帯電話端末２の端末登録がある場合は内線無線回線３Ａを介して当該携帯電話端末２へ着信通知を行い、当該携帯電話端末２の端末登録がない場合は、予め設定されている当該携帯電話端末２の転送先電話番号に基づき通話回線４Ａを介して当該携帯電話端末２へ当該着信の転送を行う。【選択図】  図１
2007097051.tif 000002
【特許請求の範囲】
【請求項１】
電話網からの通話回線を接続するとともに、携帯電話網に接続可能な複数の携帯電話端末を内線無線回線を介して収容し、前記通話回線と前記携帯電話端末とを交換接続する電話制御装置であって、
前記携帯電話端末の端末登録有無を示す端末登録管理情報と、前記携帯電話端末が未端末登録の際の転送先電話番号を示す転送先情報とを記憶する記憶部と、
前記内線無線回線を介した前記携帯電話端末との通信可否に応じて前記端末登録管理情報を更新する登録管理手段と、
前記携帯電話端末への着信に応じて前記端末登録管理情報を参照し、当該携帯電話端末の端末登録がある場合は前記内線無線回線を介して当該携帯電話端末へ着信通知を行い、当該携帯電話端末の端末登録がない場合は前記転送先情報から取得した当該携帯電話端末の転送先電話番号へ当該着信を転送する呼制御手段と
を備えることを特徴とする電話制御装置。
【請求項２】
請求項１に記載の電話制御装置において、
前記登録管理手段は、前記内線無線回線を介した前記携帯電話端末からの定期的な端末登録の有無に応じて前記端末登録管理情報を更新することを特徴とする電話制御装置。
【請求項３】
電話網からの通話回線を接続するとともに、携帯電話網に接続可能な複数の携帯電話端末を内線無線回線を介して収容し、前記通話回線と前記携帯電話端末とを交換接続する電話制御装置のコンピュータに、
前記携帯電話端末の端末登録有無を示す端末登録管理情報と、前記携帯電話端末が未端末登録の際の転送先電話番号を示す転送先情報とを記憶部で記憶するステップと、
前記内線無線回線を介した前記携帯電話端末との通信可否に応じて前記端末登録管理情報を更新する登録管理ステップと、
前記携帯電話端末への着信に応じて前記端末登録管理情報を参照し、当該携帯電話端末の端末登録がある場合は前記内線無線回線を介して当該携帯電話端末へ着信通知を行い、当該携帯電話端末の端末登録がない場合は前記転送先情報から取得した当該携帯電話端末の転送先電話番号へ当該着信を転送する呼制御ステップと
を実行させるプログラム。
【請求項４】
請求項３に記載のプログラムにおいて、
前記登録管理ステップは、前記内線無線回線を介した前記携帯電話端末からの定期的な端末登録の有無に応じて前記端末登録管理情報を更新することを特徴とするプログラム。
【発明の詳細な説明】
【技術分野】
【０００１】
本発明は、着信転送技術に関し、特に未端末登録の携帯電話端末への着信を所望の転送先へ着信転送する着信転送技術に関する。
【背景技術】
【０００２】
近年、無線データ通信技術の発展に伴い、携帯電話端末として、通常時に接続される携帯電話網だけなく無線ＬＡＮに接続する機能を有し、無線ＬＡＮ電話機としても使用可能な、いわゆる無線ＬＡＮデュアル携帯電話端末が提案されている（例えば、非特許文献１など参照）。この種の無線ＬＡＮデュアル携帯電話端末は、例えば社内の電話システムが提供する無線ＬＡＮ通信エリアに在圏している場合は、当該電話システムに端末登録して当該電話システムに収容された内線携帯電話端末として動作し、外出などにより無線ＬＡＮ通信エリア外に移動した場合は、携帯電話網に端末登録して一般の携帯電話端末として動作する。これにより、利用者は同一携帯電話端末を社内外にかかわらず共通して使用することが可能となる。
【０００３】
したがって、前述した不在転送機能を持つ電話システムに無線ＬＡＮ用のゲートウェイを接続すれば、無線ＬＡＮデュアル携帯電話端末を電話システムの内線携帯電話端末として動作させることができる。さらに、無線ＬＡＮデュアル携帯電話端末の外線電話番号を転送先電話番号として電話制御装置へ登録しておけば、無線ＬＡＮデュアル携帯電話端末の利用者が外出する際に不在転送設定を行うことにより、外出後に当該内線携帯電話端末へ着信があった場合、予め不在転送先として登録されている無線ＬＡＮデュアル携帯電話端末の外線電話番号へ当該着信が転送され、社内の当該内線携帯電話端末への着信を無線ＬＡＮデュアル携帯電話端末により外出先で応答して発信者と通話を行うことが可能となる。
【０００４】
【特許文献１】特開平７−９５２９８号公報
【非特許文献１】http://www.docomo.biz/html/product/cordless/n900il/index.html，株式会社エヌ・ティ・ティ・ドコモ
【発明の開示】
【発明が解決しようとする課題】
【０００５】
しかしながら、このような従来技術では、内線携帯電話端末への着信を検出した場合、電話システムの電話制御装置は、当該内線携帯電話端末に関する不在転送の設定有無に応じて不在転送要否を判断しているため、利用者による外出および帰社に応じた不在転送設定の設定および解除が必要となり、非常に有用な機能であるにもかかわらず、その操作の煩わしさが原因で有効利用されない、さらには不在転送設定を適切に行っていないために適切な着信処理を行えないという問題点があった。
本発明はこのような課題を解決するためのものであり、利用者による不在転送設定の設定操作および解除操作を必要とすることなく内線携帯電話端末に関する着信転送制御を行うことができる電話制御装置およびプログラムを提供することを目的としている。
【課題を解決するための手段】
【０００６】
このような目的を達成するために、本発明にかかる電話制御装置は、電話網からの通話回線を接続するとともに、携帯電話網に接続可能な複数の携帯電話端末を内線無線回線を介して収容し、通話回線と携帯電話端末とを交換接続する電話制御装置であって、携帯電話端末の端末登録有無を示す端末登録管理情報と、携帯電話端末が未端末登録の際の転送先電話番号を示す転送先情報とを記憶する記憶部と、内線無線回線を介した携帯電話端末との通信可否に応じて端末登録管理情報を更新する登録管理手段と、携帯電話端末への着信に応じて端末登録管理情報を参照し、当該携帯電話端末の端末登録がある場合は内線無線回線を介して当該携帯電話端末へ着信通知を行い、当該携帯電話端末の端末登録がない場合は転送先情報から取得した当該携帯電話端末の転送先電話番号へ当該着信を転送する呼制御手段とを備えている。
【０００７】
この際、登録管理手段は、内線無線回線を介した携帯電話端末からの定期的な端末登録の有無に応じて端末登録管理情報を更新するようにしてもよい。
【０００８】
また、本発明にかかるプログラムは、電話網からの通話回線を接続するとともに、携帯電話網に接続可能な複数の携帯電話端末を内線無線回線を介して収容し、通話回線と携帯電話端末とを交換接続する電話制御装置のコンピュータに、携帯電話端末の端末登録有無を示す端末登録管理情報と、携帯電話端末が未端末登録の際の転送先電話番号を示す転送先情報とを記憶部で記憶するステップと、内線無線回線を介した携帯電話端末との通信可否に応じて端末登録管理情報を更新する登録管理ステップと、携帯電話端末への着信に応じて端末登録管理情報を参照し、当該携帯電話端末の端末登録がある場合は内線無線回線を介して当該携帯電話端末へ着信通知を行い、当該携帯電話端末の端末登録がない場合は転送先情報から取得した当該携帯電話端末の転送先電話番号へ当該着信を転送する呼制御ステップとを実行させる。
【０００９】
この際、登録管理ステップは、内線無線回線を介した携帯電話端末からの定期的な端末登録の有無に応じて端末登録管理情報を更新するようにしてもよい。
【発明の効果】
【００１０】
本発明によれば、電話制御装置により、内線無線回線を介した携帯電話端末との通信可否に応じて当該携帯電話端末の端末登録有無が管理され、携帯電話端末への着信の際、当該携帯電話端末の端末登録がある場合は内線無線回線を介して当該携帯電話端末へ着信通知が行われ、当該携帯電話端末の端末登録がない場合は、予め設定されている当該携帯電話端末の転送先電話番号へ当該着信の転送が行れわるため、携帯電話端末からの端末登録の有無に応じて転送要否が自動的に判断される。
【００１１】
したがって、例えば利用者が外出時に不在転送の設定をし忘れた場合に転送されない、あるいは利用者が帰社時に不在転送の設定解除をし忘れた場合に着信通知されない、という不適切な着信処理を回避でき、利用者による不在転送設定の設定操作および解除操作を必要とすることなく内線携帯電話端末に関する適切な着信転送制御を行うことができる。
【発明を実施するための最良の形態】
【００１２】
次に、本発明の実施の形態について図面を参照して説明する。
［電話制御装置］
まず、図１を参照して、本発明の一実施の形態にかかる電話制御装置について説明する。図１は、本発明の一実施の形態にかかる電話制御装置の構成、およびこの電話制御装置が用いられる電話システムを示すブロック図である。
【００１３】
電話制御装置１は、例えばボタン電話装置の主装置に相当する通信制御装置であり、電話網４からの通話回線４Ａと接続するとともに、無線ＬＡＮ基地局などのゲートウェイ（ＧＷ）３を介して携帯電話端末２（２Ａ，２Ｂ）を収容することにより電話システム１０を構築している。電話網４は、公衆電話網(PSTN：Public Switched Telephone Networks)、ＩＳＤＮ(Integrated Services Digital Network)、ＩＰ電話網、あるいはＣＡＴＶ(Community Antenna TeleVision)電話網などの一般的な電話網である。
【００１４】
携帯電話端末２は、無線回線５Ａを介して携帯電話網５と接続する機能と、内線無線回線３Ａを介して電話制御装置１へ接続する機能とを有し、一般的な携帯電話端末としてだけでなく電話システム１０の内線携帯電話端末としても使用可能な無線ＬＡＮデュアル携帯電話端末である。なお、携帯電話端末２は、公知の携帯端末技術で構成されおり、ここでの詳細な説明は省略する。
【００１５】
本実施の形態は、携帯電話端末２からの定期的な端末登録に応じて当該携帯電話端末２の端末登録有無を管理し、携帯電話端末２への着信の際、当該携帯電話端末２の端末登録がある場合は内線無線回線３Ａを介して当該携帯電話端末２へ着信通知を行い、当該携帯電話端末２の端末登録がない場合は、予め設定されている当該携帯電話端末２の転送先電話番号へ当該着信を転送するようにしたものである。
【００１６】
次に、図１を参照して、本発明の第１の実施の形態にかかる電話制御装置について詳細に説明する。
この電話制御装置１は、通信機能を有する情報処理装置からなり、回線インターフェース部（以下、回線Ｉ／Ｆ部という）１１、通信インターフェース部（以下、通信Ｉ／Ｆ部という）１２、スイッチ（ＳＷ）１３、記憶部１４、および制御部１５が設けられている。
【００１７】
回線Ｉ／Ｆ部１１は、専用の通信回路部からなり、電話網４からの通話回線４Ａと接続して終端制御する機能を有している。
通信Ｉ／Ｆ部１２は、専用の通信回路部からなり、１つ以上のゲートウェイ３とデータ通信を行う機能を有している。
スイッチ１３は、専用のスイッチング回路部からなり、回線Ｉ／Ｆ部１１と通信Ｉ／Ｆ部１２との伝送路（通話路）を交換接続する機能を有している。
【００１８】
記憶部１４は、ハードディスクやメモリなどの記憶装置からなり、制御部１５での各種処理に用いる処理情報とプログラム１４Ｐを記憶する機能を有している。プログラム１４Ｐは、制御部１５に読み込まれて実行されることにより電話制御に用いる各種機能手段を実現するプログラムであり、予め外部装置や記録媒体から取り込まれて記憶部１４へ格納される。
【００１９】
記憶部１４で記憶する主な処理情報としては、登録管理情報１４Ａと転送先情報１４Ｂがある。
図２は、登録管理情報の構成例である。ここでは、電話システム１０の内線携帯電話端末として携帯電話端末２を制御するために予め付与されている内線携帯電話端末番号と、当該携帯電話端末２から電話制御装置１に対する端末登録の有無を示す端末登録有無情報とが組として登録されている。この登録管理情報１４Ａの端末登録有無情報は、各携帯電話端末２から定期的に行われる端末登録の有無に応じて制御部１５により更新される。
【００２０】
図３は、転送先情報の構成例である。ここでは、各携帯電話端末２の内線携帯電話端末番号と当該携帯電話端末２が電話制御装置１に対して未端末登録の際の転送先電話番号とが組として登録されている。この転送先情報１４Ｂの転送先電話番号は、当該携帯電話端末２が携帯電話網５に接続した際に用いられる携帯電話番号からなり、例えば各携帯電話端末２から利用者により予め登録される。
【００２１】
制御部１５は、ＣＰＵなどのマイクロプロセッサとその周辺回路を有し、記憶部１４からプログラム１４Ｐを読み込んで実行することにより、電話制御に用いる各種機能手段を実現する機能部である。
制御部１５で実現される主な機能手段としては、呼制御手段１５Ａおよび登録管理手段１５Ｂがある。
【００２２】
呼制御手段１５Ａは、電話システム１０全体の呼制御を行う手段であり、記憶部１４の呼制御情報（図示せず）に基づき回線Ｉ／Ｆ部１１およびスイッチ１３を制御するとともに、通信Ｉ／Ｆ部１２およびゲートウェイ３を介して各無線電話端末２と各種制御情報をやり取りすることにより、通話回線４Ａを用いた無線電話端末２による外線発着信動作や無線電話端末２間の内線発着信動作を制御する機能を有している。
【００２３】
また、呼制御手段１５Ａは、任意の無線電話端末２に対する着信時に、記憶部１４の登録管理情報１４Ａを参照して当該無線電話端末２の端末登録有無を確認する機能と、着信時に当該無線電話端末２が端末登録されている場合は通信Ｉ／Ｆ部１２から内線無線回線３Ａを介して当該携帯電話端末２Ａへ当該着信を通知する機能と、着信時に当該無線電話端末２が端末登録されていない場合は記憶部１４の転送先情報１４Ｂから取得した当該携帯電話端末２の転送先電話番号に基づき通話回線４Ａを介して当該携帯電話端末へ当該着信を転送する機能とを有している。
【００２４】
登録管理手段１５Ｂは、携帯電話端末２からの定期的な端末登録要求をゲートウェイ３および通信Ｉ／Ｆ部１２を介して受け付けて当該携帯電話端末２の端末登録ありを記憶部１４の登録管理情報１４Ａへ記録する機能と、携帯電話端末２からの端末登録要求が所定期間以上受け付けられない場合は当該携帯電話端末２の端末登録なしを記憶部１４の登録管理情報１４Ａへ記録する機能とを有している。なお、携帯電話端末２により端末登録については、例えば無線ＬＡＮ通信方式を用いる場合、ＳＩＰ(Session Initiation Protocol)などの公知の呼制御プロトコルに基づき端末登録が行われる。
【００２５】
［電話制御装置の動作］
次に、図４を参照して、本実施の形態にかかる電話制御装置の動作について説明する。図４は、本実施の形態にかかる電話制御装置の着信動作を示すフローチャートである。
【００２６】
電話制御装置１の制御部１５は、回線Ｉ／Ｆ部１１により電話網からの着信（外線着信）を検出した場合、または通信Ｉ／Ｆ部１２を介して携帯電話端末２からの内線呼び出し（内線着信）を受け取った場合、図４の着信処理を開始する。
【００２７】
まず、制御部１５は、呼制御手段１５Ａにより、当該着信の際に通知された呼制御情報から着信先を示す着番号を取得する（ステップ１００）。続いて、呼制御手段１５Ａは、記憶部１４の登録管理情報１４Ａを参照し（ステップ１０１）、当該着番号と一致する携帯端末番号を持つ携帯電話端末２が登録されているか確認する（ステップ１０２）。
当該着番号と一致する携帯端末番号の携帯電話端末２が登録されていない場合（ステップ１０２：ＹＥＳ）、呼制御手段１５Ａは、その携帯電話端末２が端末登録されているか確認する（ステップ１０３）。
【００２８】
当該着番号と一致する携帯端末番号の携帯電話端末２が端末登録されている場合（ステップ１０３：ＹＥＳ）、着信先となる携帯電話端末２が当該電話システム１０内に接続されていることから、呼制御手段１５Ａは、通信Ｉ／Ｆ部１２からゲートウェイ３および内線無線回線３Ａを介して当該着番号の携帯電話端末２へ着信を通知し（ステップ１０４）、一連の着信処理を終了する。
これにより、着信通知を受けた携帯電話端末２では着信表示が行われた後、利用者による応答操作に応じて応答通知が電話制御装置１へ返送され、電話制御装置１のスイッチ１３を介して呼出先と携帯電話端末２との伝送路（通話路）が接続されて通話が開始される。
【００２９】
一方、ステップ１０３において、当該着番号と一致する携帯端末番号の携帯電話端末２が端末登録されていない場合（ステップ１０３：ＮＯ）、着信先となる携帯電話端末２が当該電話システム１０内に接続されていないことから、呼制御手段１５Ａは、記憶部１４の転送先情報１４Ｂを参照し（ステップ１０５）、当該着信先携帯電話端末２の転送先電話番号が登録されているか確認する（ステップ１０６）。
【００３０】
ここで、当該着信先携帯電話端末２の転送先電話番号が転送先情報１４Ｂに登録されている場合（ステップ１０６：ＹＥＳ）、呼制御手段１５Ａは、その転送先電話番号に基づいて回線Ｉ／Ｆ部１１から通話回線４Ａを介して携帯電話端末２へ当該着信を転送する（ステップ１０７）。
これにより、電話網４、携帯電話網５、および無線回線５Ａを介して着信通知を受けた携帯電話端末２では着信表示が行われた後、利用者による応答操作に応じて応答通知が電話制御装置１へ返送され、電話制御装置１のスイッチ１３を介して呼出先と携帯電話端末２との伝送路（通話路）が接続されて通話が開始される。
【００３１】
また、ステップ１０２において、着番号と一致する携帯端末番号の携帯電話端末２が登録されていない場合（ステップ１０２：ＮＯ）、およびステップ１０６において、当該着信先携帯電話端末２の転送先電話番号が転送先情報１４Ｂに登録されていない場合（ステップ１０６：ＮＯ）、呼制御手段１５Ａは、当該着信を無視して着信処理を行わず（ステップ１０８）、一連の着信処理を終了する。
【００３２】
［電話制御装置の動作例］
次に、図５および図６を参照して、本実施の形態にかかる電話制御装置の動作例について説明する。図５は、本実施の形態にかかる電話制御装置の着信動作例（端末登録時）を示すシーケンス図である。図６は、本実施の形態にかかる電話制御装置の着信動作例（未端末登録時）を示すシーケンス図である。
【００３３】
まず、図５を参照して、本実施の形態にかかる電話制御装置の着信動作例（端末登録時）として、携帯電話端末２Ａから携帯電話端末２Ｂに対して内線呼び出しを行った場合を例に説明する。ここでは、携帯電話端末２Ａ，２Ｂが、電話システム１０の無線通信エリア内に在圏するものとする。
【００３４】
携帯電話端末２Ａ，２Ｂは、当該電話システム１０の無線通信エリア内に在圏しており、それぞれ定期的に電話制御装置１に対して端末登録要求を行う（ステップ２００、２０２）。電話制御装置１の制御部１５は、登録管理手段１５Ｂにより、携帯電話端末２Ａ，２Ｂからの定期的な端末登録要求を内線無線回線３Ａ、ゲートウェイ３および通信Ｉ／Ｆ部１２を介して受け付け、当該携帯電話端末２Ａ，２Ｂの端末登録ありを記憶部１４の登録管理情報１４Ａへ記録する（ステップ２０１，２０３）。
【００３５】
このような状態において、携帯電話端末２Ａから携帯電話端末２Ｂを着信先とする発信要求が送信された場合、電話制御装置１の制御部１５は、呼制御手段１５Ａにより、前述した図４の着信処理を実行する。この例では、着信先携帯電話端末２Ｂが電話制御装置１に端末登録されていることから（ステップ２１１：ＹＥＳ）、通信Ｉ／Ｆ部１２からゲートウェイ３および内線無線回線３Ａを介して当該着番号の携帯電話端末２へ着信が通知される（ステップ２１２）。
これにより、着信通知を受けた携帯電話端末２では着信表示が行われた後、利用者による応答操作に応じて応答通知が電話制御装置１へ返送され（ステップ２１３）、電話制御装置１を介して呼出先と携帯電話端末２との伝送路（通話路）が接続されて通話が開始される（ステップ２１４）。
【００３６】
次に、図６を参照して、本実施の形態にかかる電話制御装置の着信動作例（未端末登録時）として、携帯電話端末２Ａから携帯電話端末２Ｂに対して内線呼び出しを行った場合を例に説明する。ここでは、携帯電話端末２Ａが、電話システム１０の無線通信エリア内に在圏し、携帯電話端末２Ｂが、電話システム１０の無線通信エリアから外へ移動して、携帯電話網５の無線通信エリア内に在圏するものとする。
【００３７】
携帯電話端末２Ａは、当該電話システム１０の無線通信エリア内に在圏しており、定期的に電話制御装置１に対して端末登録要求を行う（ステップ２２０）。電話制御装置１の制御部１５は、登録管理手段１５Ｂにより、携帯電話端末２Ａからの定期的な端末登録要求を内線無線回線３Ａ、ゲートウェイ３および通信Ｉ／Ｆ部１２を介して受け付け、当該携帯電話端末２Ａの端末登録ありを記憶部１４の登録管理情報１４Ａへ記録する（ステップ２２１）。
【００３８】
一方、携帯電話端末２Ｂは、電話システム１０の無線通信エリア外であって携帯電話網５の無線通信エリア内に在圏しており、定期的に携帯電話網５に対して端末登録要求を行う（ステップ２２２）。携帯電話網５では、携帯電話端末２Ｂからの定期的な端末登録要求を無線回線５Ａを介して受け付け、当該携帯電話端末２Ｂが携帯電話網５に接続されていることを把握する（ステップ２２３）。
また、電話制御装置１の制御部１５は、登録管理手段１５Ｂにより、携帯電話端末２Ｂからの端末登録要求が所定期間以上受け付けられないため、当該携帯電話端末２Ｂの端末登録なしを記憶部１４の登録管理情報１４Ａへ記録する（ステップ２２４）。
【００３９】
このような状態において、携帯電話端末２Ａから携帯電話端末２Ｂを着信先とする発信要求が送信された場合、電話制御装置１の制御部１５は、呼制御手段１５Ａにより、前述した図４の着信処理を実行する。この例では、着信先携帯電話端末２Ｂが電話制御装置１に端末登録されていないことから（ステップ２３１：ＹＥＳ）、転送先情報１４Ｂから携帯電話端末２Ｂの転送先電話番号が取得され（ステップ２３２）、その転送先電話番号に基づいて回線Ｉ／Ｆ部１１から通話回線４Ａを介して携帯電話端末２へ当該着信通知を送信して着信転送を行う（ステップ２３３）。
【００４０】
これにより、電話網４、携帯電話網５、および無線回線５Ａを介して着信通知を受けた携帯電話端末２Ｂでは着信表示が行われた後、利用者による応答操作に応じて応答通知が電話制御装置１へ返送される（ステップ２３４）。電話制御装置１の呼制御手段１５Ａは、この応答通知に応じて、スイッチ１３を制御して呼出元携帯電話端末２Ａと着信先携帯電話端末２Ｂとの伝送路（通話路）を接続することにより、着信先携帯電話端末２Ｂへの着信が転送されて両者の間で通話が開始される（ステップ２３５）。
【００４１】
このように、本実施の形態は、内線無線回線３Ａを介した携帯電話端末２との通信可否に応じて当該携帯電話端末２の端末登録有無を管理し、携帯電話端末２への着信の際、当該携帯電話端末２の端末登録がある場合は内線無線回線３Ａを介して当該携帯電話端末２へ着信通知を行い、当該携帯電話端末２の端末登録がない場合は、予め設定されている当該携帯電話端末２の転送先電話番号へ当該着信の転送を行うようにしたので、携帯電話端末２からの端末登録の有無に応じて転送要否が自動的に判断される。
【００４２】
したがって、例えば利用者が外出時に不在転送の設定をし忘れた場合に転送されない、あるいは利用者が帰社時に不在転送の設定解除をし忘れた場合に着信通知されない、という不適切な着信処理を回避でき、利用者による不在転送設定の設定操作および解除操作を必要とすることなく携帯電話端末２への適切な着信転送制御を行うことができる。
【００４３】
また、携帯電話端末２の端末登録有無を管理する際、内線無線回線を介した携帯電話端末からの定期的な端末登録の有無に応じて端末登録管理情報を更新するようにしたので、携帯電話端末用の呼制御プロトコルを変更することなく、携帯電話端末２の端末登録有無を管理することができる。
【００４４】
なお、以上の実施の形態において、内線無線回線３Ａを介した携帯電話端末２との通信可否については、携帯電話端末２からの端末登録で判定する方法に限定されるものではない。例えば、電話制御装置１から携帯電話端末２とデータをやり取りすることにより当該携帯電話端末２との通信可否をチェックしてもよく、あるいは携帯電話端末２から間欠的に送信される端末登録以外のデータを検出して当該携帯電話端末２との通信可否をチェックしてもよい。
【００４５】
また、電話制御装置１の転送先情報１４Ｂとして登録しておく転送先電話番号については、携帯電話端末２の携帯電話番号に限定されるものではなく、例えば不在時の着信に対して自動応答して所定の音声メッセージを送出し、必要に応じて発信者の伝言を記録する留守番電話装置の電話番号でもよく、当該電話システム１０内の他の内線電話機を示す電話番号であってもよい。
【図面の簡単な説明】
【００４６】
【図１】本発明の一実施の形態にかかる電話制御装置の構成、およびこの電話制御装置が用いられる電話システムを示すブロック図である。
【図２】登録管理情報の構成例である。
【図３】転送先情報の構成例である。
【図４】本実施の形態にかかる電話制御装置の着信動作を示すフローチャートである。
【図５】本実施の形態にかかる電話制御装置の着信動作例（端末登録時）を示すシーケンス図である。
【図６】本実施の形態にかかる電話制御装置の着信動作例（未端末登録時）を示すシーケンス図である。
【符号の説明】
【００４７】
１…電話制御装置、１１…回線Ｉ／Ｆ部、１２…通信Ｉ／Ｆ部、１３…スイッチ（ＳＷ）、１４…記憶部、１４Ａ…登録管理情報、１４Ｂ…転送先情報、１５…制御部、１５Ａ…呼制御手段、１５Ｂ…登録管理手段、２，２Ａ，２Ｂ…携帯電話端末、３…ゲートウェイ（ＧＷ）、３Ａ…内線無線回線、４…電話網、４Ａ…通話回線、５…携帯電話網、５Ａ…無線回線、１０…電話システム。
【図１】
2007097051.tif 000003
【図２】
2007097051.tif 000004
【図３】
2007097051.tif 000005
【図４】
2007097051.tif 000006
【図５】
2007097051.tif 000007
【図６】
2007097051.tif 000008